(57)【要約】【課題】ディスク再生装置において、簡単な構造でラトルノイズの発生を防止できるようにする。【解決手段】ディスク挿入口から挿入されたディスクを、アッパーガイド１４とアッパーガイド１４側へ付勢されるローディングローラー１０とで挟んで筺体内にディスクを搬送するディスク再生装置において、アッパーガイド１４はローディングローラー１０の上方に固定され、アッパーガイド１４には、ローディングローラー１０が当接する当て付け部２４が形成され、当て付け部２４の高さは、ディスクの挿入に伴いディスクの厚さによってローディングローラー１０が押し下げられるとローディングローラー１０が当て付け部２４から離れる高さに形成されている。【選択図】図１１
2013239218.tif 000002
【特許請求の範囲】
【請求項１】
ディスク挿入口から挿入されたディスクを、ガイド部材と前記ガイド部材側へ付勢されるローディングローラーとで挟んで筺体内にディスクを搬送するディスク再生装置において、
前記ガイド部材は前記ローディングローラーの上方に固定され、前記ガイド部材には、前記ローディングローラーが当接する当て付け部が形成され、前記当て付け部の高さは、前記ディスクの挿入に伴い前記ディスクの厚さによって前記ローディングローラーが押し下げられると前記ローディングローラーが前記当て付け部から離れる高さに形成されていることを特徴とするディスク再生装置。
【請求項２】
前記ローディングローラー及び前記ガイド部材は、前記ローディングローラーと前記ガイド部材との間の間隔が中央で広く幅方向の外側ほど狭くなるようにテーパー状に形成され、前記当て付け部は、前記ガイド部材のガイド面よりも低い高さに形成されていることを特徴とする請求項１記載のディスク再生装置。
【請求項３】
前記当て付け部は、正面視において前記ローディングローラーのテーパー形状と前記ガイド部材のテーパー形状とが交わる交点部よりも幅方向の外側に位置することを特徴とする請求項２記載のディスク再生装置。
【請求項４】
前記当て付け部は、前記ディスクの前端が前記ガイド部材とローディングローラーとで挟まれた状態において、前記ディスクの前端よりも幅方向の外側に位置するとともに前記ローディングローラーのローラー面から離間していることを特徴とする請求項２または３記載のディスク再生装置。
【請求項５】
前記ガイド部材は、前記ローディングローラーの上方に固定されて前記ローディングローラーに対向する板部を有し、前記ディスクをガイドするガイド面は前記板部に形成され、前記当て付け部は前記板部に一体に形成された凸部であることを特徴とする請求項１から４のいずれかに記載のディスク再生装置。
【請求項６】
前記ローディングローラーは、前記ローディングローラーの軸に設けられるギヤを介して回転駆動されることを特徴とする請求項１から５のいずれかに記載のディスク再生装置。
【発明の詳細な説明】
【技術分野】
【０００１】
本発明は、ディスク挿入口から挿入されたディスクを、ガイド部材とガイド部材側へ付勢されるローディングローラーとで挟んで筺体内にディスクを搬送するディスク再生装置に関する。
【背景技術】
【０００２】
従来、ディスク再生装置において、ディスクを搬送するローラーに補助ローラーを圧接することで、補助ローラーのガタ付きに起因するラトルノイズ（低級音）の発生を防止する構成が知られている（例えば、特許文献１参照）。
【先行技術文献】
【特許文献】
【０００３】
【特許文献１】特開２００７−３２３７２８号公報
【発明の概要】
【発明が解決しようとする課題】
【０００４】
しかし、上記従来のディスク再生装置では、回転可能なローラー及び補助ローラー同士を圧接させるため、両ローラーのギヤ等の回転部等に起因してラトルノイズが発生する可能性があるとともに、構造が複雑になるという課題があった。
本発明は、上述した事情に鑑みてなされたものであり、ディスク再生装置において、簡単な構造でラトルノイズの発生を防止できるようにすることを目的とする。
【課題を解決するための手段】
【０００５】
上記目的を達成するために、本発明は、ディスク挿入口から挿入されたディスクを、ガイド部材と前記ガイド部材側へ付勢されるローディングローラーとで挟んで筺体内にディスクを搬送するディスク再生装置において、前記ガイド部材は前記ローディングローラーの上方に固定され、前記ガイド部材には、前記ローディングローラーが当接する当て付け部が形成され、前記当て付け部の高さは、前記ディスクの挿入に伴い前記ディスクの厚さによって前記ローディングローラーが押し下げられると前記ローディングローラーが前記当て付け部から離れる高さに形成されていることを特徴とする。
本発明によれば、ガイド部材はローディングローラーの上方に固定され、ガイド部材には、ローディングローラーが当接する当て付け部が形成され、当て付け部の高さは、ディスクの挿入に伴いディスクの厚さによってローディングローラーが押し下げられるとローディングローラーが当て付け部から離れる高さに形成されているため、ローディングローラーが当て付け部に当接することでローディングローラーのガタに起因するラトルノイズの発生を防止でき、ディスクが挿入された際にはディスクがローディングローラーを押し下げることでローディングローラーの当て付けを解除でき、簡単な構造でラトルノイズの発生を防止できる。
【０００６】
また、本発明は、前記ローディングローラー及び前記ガイド部材は、前記ローディングローラーと前記ガイド部材との間の間隔が中央で広く幅方向の外側ほど狭くなるようにテーパー状に形成され、前記当て付け部は、前記ガイド部材のガイド面よりも低い高さに形成されていることを特徴とする。
本発明によれば、ローディングローラー及びガイド部材は、ローディングローラーとガイド部材との間の間隔が中央で広く幅方向の外側ほど狭くなるようにテーパー状に形成され、当て付け部は、ガイド部材のガイド面よりも低い高さに形成されているため、ローディングローラーで搬送されるディスクが当て付け部に当たることがなく、ディスクの搬送を妨げることなく簡単な構造でラトルノイズの発生を防止できる。
【０００７】
また、本発明は、前記当て付け部は、正面視において前記ローディングローラーのテーパー形状と前記ガイド部材のテーパー形状とが交わる交点部よりも幅方向の外側に位置することを特徴とする。
本発明によれば、当て付け部は、正面視においてローディングローラーのテーパー形状とガイド部材のテーパー形状とが交わる交点部よりも幅方向の外側に位置するため、当て付け部の高さを大きく確保できるとともに、ディスクの挿入に連動させて速やかにローディングローラーを当て付け部から離脱させることができる。
【０００８】
さらに、本発明は、前記当て付け部は、前記ディスクの前端が前記ガイド部材とローディングローラーとで挟まれた状態において、前記ディスクの前端よりも幅方向の外側に位置するとともに前記ローディングローラーのローラー面から離間していることを特徴とする。
本発明によれば、当て付け部は、ディスクの前端がガイド部材とローディングローラーとで挟まれた状態において、ディスクの前端よりも幅方向の外側に位置するとともにローディングローラーのローラー面から離間しているため、当て付け部の高さを大きく確保できるとともに、ディスクの挿入に連動させて速やかにローディングローラーを当て付け部から離脱させることができる。
【０００９】
また、本発明は、前記ガイド部材は、前記ローディングローラーの上方に固定されて前記ローディングローラーに対向する板部を有し、前記ディスクをガイドするガイド面は前記板部に形成され、前記当て付け部は前記板部に一体に形成された凸部であることを特徴とする。
本発明によれば、ガイド部材は、ローディングローラーの上方に固定されてローディングローラーに対向する板部を有し、ディスクをガイドするガイド面は板部に形成され、当て付け部は板部に一体に形成された凸部であるため、簡単な構造でラトルノイズの発生を防止できる。
また、本発明は、前記ローディングローラーは、前記ローディングローラーの軸に設けられるギヤを介して回転駆動されることを特徴とする。
本発明によれば、ローディングローラーのギヤに起因して発生するラトルノイズを簡単な構造で防止できる。
【発明の効果】
【００１０】
本発明によれば、ディスク再生装置において、簡単な構造でラトルノイズの発生を防止できる。
【図面の簡単な説明】
【００１１】
【図１】本実施の形態に係るディスクプレーヤの平面図である。
【図２】ローディングメカニズムを示す図である。
【図３】ローディングメカニズムを示す図である。
【図４】ローディングローラー及びアッパーガイドを挿入口の正面側から見た図である。
【図５】図４において端部を拡大した図である。
【図６】図６は、アッパーガイドを上方から見た平面図である。
【図７】図７は、図６のＶＩＩ−ＶＩＩ断面図である。
【図８】ディスクの前端が挿入された状態を示す平面図である。
【図９】図８における正面図である。
【図１０】ディスクの挿入によるローディングローラーの移動を示す正面図である。
【図１１】イジェクト状態において当て付け部を示す断面図である。
【図１２】ディスクの先端が挿入された状態において当て付け部を示す断面図である。
【発明を実施するための形態】
【００１２】
以下、本発明の一実施の形態を、図面に基づき説明する。
図１は、本実施の形態に係るディスクプレーヤの平面図である。このディスクプレーヤ１（ディスク再生装置）は、車両に搭載される車載機器であり、上下の高さが抑えられて薄型に構成され、ＣＤ、ＤＶＤ等の例えば直径８ｃｍや、直径１２ｃｍ等の大きさの記録媒体ディスクを内部に引き込み、このディスクに記録された情報を再生するものである。ディスクプレーヤ１は板金製のシャーシ２（筺体）を備えている。
【００１３】
シャーシ２はメインシャーシ３と、このメインシャーシ３の上方を覆うアッパーシャーシ（不図示）とを備え、その内側には、ディスクをローディングするためのローディングメカニズム、ローディングされたディスクをターンテーブル上にクランプするためのクランパメカニズム、及び、クランプされたディスクをドライブするためのドライブメカニズム等が設けられている。
シャーシ２には、その前面２ａを覆う板状の前面パネル（不図示）が取り付けられており、この前面パネルには、ディスクプレーヤ１の幅方向に延びるスリット状に形成された挿入口（不図示）が形成され、この挿入口（ディスク挿入口）から記録媒体としてのディスクが挿入または排出される。
【００１４】
平面視略矩形の枠状に形成されたメインシャーシ３には、スプリング及びオイルダンパー等の防振部材（不図示）によってフローティング支持されたプレート４が設けられ、上記ドライブメカニズムは、プレート４上にディスク再生用の部材を設けて構成される。ディスク再生用の部材は、図示は省略するが、ディスクの情報を読み取る光学ピックアップ、光学ピックアップをディスクの径方向に移動させる送り機構、セットされたディスクをスピンドルモータの駆動力によって回転させるターンテーブル等を有している。
【００１５】
上記クランパメカニズムは、上記ターンテーブルに対向するクランパー５ａと、クランパー５ａを支持するクランパーアームプレート５とを有している。クランパーアームプレート５は、シャーシ２において上記挿入口側とは反対側に設けられた軸部（不図示）によって支持されており、この軸部を中心に回動することでクランパー５ａを上下に移動させる。クランパーアームプレート５は、引張りコイルばね６（図２）によってクランパー５ａがディスクに圧着される方向に付勢されている。
【００１６】
図２は、ローディングメカニズムを示す図であり、図２（ａ）はディスクのローディング待機時の状態を示し、図２（ｂ）は、ディスクの再生時の状態を示している。図３は、ローディングメカニズムを示す図であり、図３（ａ）はディスクのローディング待機時の状態を示し、図３（ｂ）は、ディスクの再生時の状態を示している。ここで、図２では後述のローラーガイド１１の図示が省略されており、図３では後述のトーションスプリング１３及びリンクプレート１６の図示が省略されている。
【００１７】
上記ローディングメカニズムは、上記挿入口側に設けられている。図１〜図３に示すように、ローディングメカニズムは、ディスクの挿入方向に対して垂直且つ水平にシャーシ２の幅方向の略一杯に延びるローディングローラー１０と、ローディングローラー１０を支持するローラーガイド１１（図３）と、ローラーガイド１１に連結されるロックアーム１２，１２と、ロックアーム１２，１２を付勢するトーションスプリング１３（図２）と、ローディングローラー１０に対向してローディングローラー１０の上方に設けられるアッパーガイド１４（ガイド部材）とを備えて構成されており、アッパーガイド１４とローディングローラー１０との間にディスクを挟んだ状態でローディングローラー１０が回転することでディスクを搬送する。
【００１８】
メインシャーシ３内の左右の側面部３ａの前部の近傍には、ローディングローラー１０に沿って延びるローラーガイド１１が設けられ、ローディングローラー１０は、ローラーガイド１１によって両端を支持されている。ローラーガイド１１は、ローディングローラー１０の両端を支持するローラー支持部を左右の端部に有している。
また、ローラーガイド１１の左右の端部には、ロックアーム１２，１２がそれぞれ連結されている。
ローディングローラー１０は、正逆の両方向に回転可能なモーターによって駆動される不図示のローラー駆動機構によって回転駆動され、ディスクを搬送するローディング力を得る。このローラー駆動機構は、挿入口へのディスクの挿入がセンサ（不図示）によって検知された時、及び、ユーザーによるボタン操作等によってディスクの排出指示が出された時に作動する。
【００１９】
ローラーガイド１１は、ローディングローラー１０の軸方向に延びる軸１１ａを前部に有している。ローラーガイド１１は、軸１１ａを介してメインシャーシ３側に支持され、軸１１ａを中心に揺動可能である。ローラーガイド１１の後端には、ローディングローラー１０を軸支するローラー支持部１１ｂが設けられている。ローラーガイド１１において、ローラー支持部１１ｂと軸１１ａとの間には、ロックアーム１２に嵌合するボス部１１ｃが形成されている。
【００２０】
ローディングローラー１０は、ローラーガイド１１が軸１１ａを中心に揺動することで、ディスクに下方から当接してアッパーガイド１４との間でディスクを挟んでディスクを搬送可能なローディング位置（図２（ａ）参照）と、ディスクの下方に退避してディスクを解放するローディング解除位置（図２（ｂ）参照）との間を揺動する。ディスクプレーヤ１は、図２（ａ）に示すディスクが挿入されていないイジェクト状態（ローディング待機状態）ではローディング位置にあり、ディスクが挿入されてクランプされている状態ではローディング解除位置にある。
【００２１】
ロックアーム１２，１２は、メインシャーシ３の側面部３ａに沿って前後に延びる板状に形成され、前後の中間部に、メインシャーシ３側に軸支される軸支部１２ａを有している。ロックアーム１２，１２は、軸支部１２ａを中心にして前後に揺動可能である。
ロックアーム１２，１２において、軸支部１２ａの上方には、ローディングローラー１０の左右の端部がスライド移動可能に挿通される長孔状の孔部１２ｂが形成されている。
【００２２】
ロックアーム１２，１２において軸支部１２ａの前側には、ローラーガイド１１のボス部１１ｃが嵌合するガイド孔１２ｃが形成されており、ロックアーム１２とローラーガイド１１とは、ボス部１１ｃ及びガイド孔１２ｃによって連結されている。ガイド孔１２ｃは、ガイド孔１２ｃ内をボス部１１ｃがスライド可能であるように、長孔状に形成されている。詳細には、ロックアーム１２が揺動してガイド孔１２ｃ内をボス部１１ｃがスライドすることで、ローラーガイド１１は軸１１ａを中心にロックアーム１２の揺動方向とは逆方向に揺動し、これに伴ってローディングローラー１０が上下に揺動する。
【００２３】
ロックアーム１２，１２において、軸支部１２ａの前側の上端及び軸支部１２ａの後側の下端には、シャーシ２の上下の内壁に当接するロック爪１５ａ，１５ｂがそれぞれ形成されている。
ロックアーム１２の前端には、トーションスプリング１３の一端が連結されるばね連結部１２ｄが設けられている。トーションスプリング１３の他端はメインシャーシ３側に連結されており、ロックアーム１２は、トーションスプリング１３によって、ロック爪１５ａ，１５ｂがシャーシ２の内壁に当接する向き（図２中の時計回り方向）に付勢されている。
一方（右側）のロックアーム１２の後端には、軸支部１２ａと平行に突出する突起１２ｅが形成されている。
【００２４】
クランパーアームプレート５の側方には、メインシャーシ３の右側の側面部３ａに沿って延びるリンクプレート１６（図２）が配置されており、リンクプレート１６は、不図示の駆動機構によって前後にスライド可能に設けられている。リンクプレート１６の上端部には、クランパーアームプレート５の下部に当接する傾斜部１６ａが形成されており、リンクプレート１６が後方へ移動すると、傾斜部１６ａがクランパーアームプレート５を引張りコイルばね６の付勢力に抗して上方に回動させ、クランパー５ａが開かれ、リンクプレート１６が前方へ移動すると、引張りコイルばね６の付勢力によってクランパー５ａが閉じられる。
【００２５】
また、リンクプレート１６には、ロックアーム１２の後端の突起１２ｅが挿通される傾斜カム部１６ｂが形成されている。傾斜カム部１６ｂは、メインシャーシ３の後面側へ後上がりに延びる長孔であり、リンクプレート１６が前後にスライドすることで、突起１２ｅが傾斜カム部１６ｂに沿って移動し、ロックアーム１２が軸支部１２ａを中心に前後に回動する。
詳細には、ユーザーのボタン操作により、ディスクの排出指示が入力された場合、リンクプレート１６は後方へスライドされ、これに伴い、ロックアーム１２は、突起１２ｅが傾斜カム部１６ｂ内を下方に移動することでトーションスプリング１３の付勢方向に回動され、ロック爪１５ａ，１５ｂはシャーシ２の内壁に当接し、ローディングローラー１０は、アッパーガイド１４に近づく方向（上記ローディング位置の方向）に移動する。ディスクが挿入されていないイジェクト状態では、ローディングローラー１０はトーションスプリング１３によってアッパーガイド１４側へ付勢されており、ローディングローラー１０の上下の位置は、ロック爪１５ａ，１５ｂによって規制されている。
【００２６】
ディスクが挿入されてディスクの中心がターンテーブルの中心に合う位置に来たことがセンサ（不図示）によって検知された場合、リンクプレート１６は前方へスライドされ、これに伴い、ロックアーム１２は、突起１２ｅが傾斜カム部１６ｂ内を上方に移動することでトーションスプリング１３に抗して回動され、ロック爪１５ａ，１５ｂはシャーシ２の内壁から離れ、ローディングローラー１０は、アッパーガイド１４から離れる方向（上記ローディング解除位置の方向）に移動する。
また、ローディングローラー１０は、リンクプレート１６のスライドによる場合だけでなく、挿入口から挿入されたディスクに押し下げられることによってもアッパーガイド１４から離れる方向に移動する。
【００２７】
図４は、ローディングローラー１０及びアッパーガイド１４を挿入口の正面側から見た図である。図５は、図４において端部を拡大した図である。図６は、アッパーガイド１４を上方から見た平面図である。図７は、図６のＶＩＩ−ＶＩＩ断面図である。
図１及び図４〜図７を参照し、アッパーガイド１４は、正面視で門型に形成されており、プレート４に略垂直に立設される板状の側壁部２１，２１と、左右一対の側壁部２１，２１の上端の間を繋ぐ上壁部２２（板部）とを有している。上壁部２２は、メインシャーシ３の左右の側面部３ａ，３ａ間の幅内に略一杯に延びる略水平の板であり、前後方向では、挿入口の近傍からクランパー５ａの近傍まで延びている。アッパーガイド１４は、側壁部２１，２１を介してプレート４に固定されている。
【００２８】
アッパーガイド１４の上壁部２２の下面には、ローディングローラー１０側へ下方に突出するガイド部２３，２３が形成されている。ガイド部２３，２３の下面は、搬送時にディスクの上面に当接するガイド面２３ｃを構成している。
ガイド部２３，２３は、アッパーガイド１４の幅方向の中央部Ｍを中心に左右対称に形成された突出部であり、中央部Ｍで突出量が最も低く、幅方向の外端部で最も突出量が高くなるようにテーパー状に傾斜して形成されている。
各ガイド部２３は、挿入口側に位置する前ガイド部２３ａと、前ガイド部２３ａよりも奥側に位置する後ガイド部２３ｂとを有している。前ガイド部２３ａと後ガイド部２３ｂとは、前後方向に略一定な幅を有する間隔Ｓを開けて配置されており、間隔Ｓを中心にして前後方向に略対称に配置されている。間隔Ｓはローディングローラー１０の上方に位置し、間隔Ｓの大きさはローディングローラー１０の外径に略一致している。
【００２９】
前ガイド部２３ａの前後の長さは、図６に示すように、中央部Ｍ側で小さく、幅方向の外端部側ほど大きくなっている。また、前後方向における前ガイド部２３ａの高さは、後部で高く、前部で低くなるように傾斜して設定されている。後ガイド部２３ｂの形状は、前ガイド部２３ａに対して略対称な形状である。
前ガイド部２３ａと後ガイド部２３ｂとの間の間隔Ｓには、上壁部２２の下面からローディングローラー１０側へ下方に突出する当て付け部２４が形成されている。
アッパーガイド１４は、樹脂材料により構成されており、上壁部２２、側壁部２１，２１、ガイド部２３，２３及び当て付け部２４，２４は樹脂成形によって一体に形成される。
【００３０】
ローディングローラー１０は、ディスクの挿入方向に直交して延びるローラー軸３１と、ローラー軸３１の外周部に固定される円柱状のローラー部３２とを有している。ローディングローラー１０は、ローラー軸３１の両端にローラーガイド１１（図３）が連結されることで支持され、ローラー部３２の両端は、アッパーガイド１４の側壁部２１，２１の内側面の近傍に位置している。ローラー部３２は、ゴムやウレタン等の弾性材料によって構成されている。
ローラー軸３１の一端には、上記ローラー駆動機構に接続されるギヤ３３が固定されており、ローディングローラー１０は、ギヤ３３を介して入力されるローラー駆動機構の駆動力によって回転される。
【００３１】
ローラー部３２は、中央部Ｍ側で最も外径が小さく、ローラー軸３１の左右の軸端側ほど外径が大きくなるようにテーパー状に形成されたローラーである。ローディングローラー１０の軸方向の中央部は、中央部Ｍに一致している。
アッパーガイド１４のガイド部２３，２３に対向してローディングローラー１０が設けられることで、ガイド部２３，２３とローラー部３２との間には、ディスクが挿入されるディスク挿入空間Ｉが形成される。詳細には、ディスク挿入空間Ｉは、中央部Ｍで最も上下の幅が広く、ディスクプレーヤ１の幅方向の外側ほど上下の幅が狭くなるようにテーパー状に形成されている。このように、外側ほど上下の幅が狭くなるディスク挿入空間Ｉを形成することで、ディスクを中央側に位置決めできるとともに、ディスクの外縁部だけをローディングローラー１０及びガイド部２３，２３に接触させた状態でディスクを搬送できる。
【００３２】
図５に示すように、ディスクが挿入されていないイジェクト状態では、正面視において、ガイド部２３，２３の下部とガイド部２３，２３の後方に位置するローラー部３２の上部とは重なっており、ガイド部２３，２３のガイド面２３ｃとローラー部３２のローラー表面３２ａ（ローラー面）とが正面視で交差する交点部Ｃが形成されている。交点部Ｃは、ディスク挿入空間Ｉの外端部に相当する。アッパーガイド１４の当て付け部２４，２４は、各交点部Ｃよりもディスクプレーヤ１の幅方向の外側且つローラー部３２の軸端よりも内側に位置している。
【００３３】
当て付け部２４，２４は、イジェクト状態においてローディングローラー１０の上面が当接する受け部であり、ローディングローラー１０に当接する下面は平坦且つ略水平に形成されている。イジェクト状態では、ローディングローラー１０の位置は、ロック爪１５ａ，１５ｂがシャーシ２に当接することで規制されており、この状態では、ローディングローラー１０の上部は、当て付け部２４，２４に下方から当接する。また、ディスクが挿入口から挿入されてローディングローラー１０がディスクによって押し下げられると、ローディングローラー１０は、当て付け部２４，２４から離れて下方に移動し、回転可能になる。このため、イジェクト状態では、ローディングローラー１０の軸方向の移動及び回転を当て付け部２４，２４によって規制して、ローディングローラー１０の動きに起因するラトルノイズの発生を簡単な構造で防止できるとともに、ディスクが挿入された場合には、当て付け部２４，２４によるローディングローラー１０の動きの規制を即座に解除することができる。
【００３４】
また、当て付け部２４，２４は、アッパーガイド１４の上壁部２２の下面から下方に突出した凸部であるが、ガイド部２３，２３のガイド面２３ｃよりも突出高さが低く形成されており、搬送時にディスクの上面に当接することがない。このため、当て付け部２４，２４が邪魔にならず、ラトルノイズの発生を防止でき、且つ、スムーズにディスクを搬送できる。
【００３５】
図８は、ディスクの前端が挿入された状態を示す平面図である。図９は、図８における正面図である。
図８及び図９では、円板状のディスクＤの挿入の初期状態において、ローディングローラー１０とアッパーガイド１４のガイド部２３，２３との間にディスクＤの前端が丁度挟まれた状態が示されており、ディスクＤの前端は、中央部Ｍを基準とした左側の挿入幅Ｌと右側の挿入幅Ｌとの和である挿入幅２Ｌの部分が、ディスク挿入空間Ｉ内でローディングローラー１０とガイド部２３，２３との間に挟まれている。
【００３６】
図１０は、ディスクＤの挿入によるローディングローラー１０の移動を示す正面図であり、図１０（ａ）は、概念図であり、図１０（ｂ）では、ディスクＤが挿入された状態が示されている。
図１０（ａ）は、ディスクＤが挿入幅２Ｌだけディスク挿入空間Ｉに挿入された状態を、イジェクト状態のディスク挿入空間Ｉに重ねて示した図であり、この状態では、ディスクＤの前端の外端部Ｄ１に対応する位置のディスク挿入空間Ｉの上下の幅は、厚さＢだけディスクＤの厚さよりも狭くなっている。ここで、厚さＢは、下記式（１）で求められる。下記式において、θはローディングローラー１０のテーパーの角度である。
厚さＢ＝挿入幅Ｌ×ｔａｎθ…（１）
つまり、ローディングローラー１０は、ディスクＤの挿入幅とローディングローラー１０のテーパーに対応した分だけ押し下げられ、本実施の形態のように、ディスクＤを挿入幅２Ｌだけ挿入した場合、ローディングローラー１０は、図１０（ｂ）に示すように、厚さＢの分だけディスクＤによって押し下げされる。すなわち、厚さＢは、ローディングローラー１０の押し下げ量である。
そして、ディスクＤの搬送の進行に伴って挿入幅Ｌがさらに大きくなると、厚さＢが大きくなり、ローディングローラー１０の押し下げ量はさらに大きくなる。
【００３７】
本実施の形態では、当て付け部２４，２４がディスク挿入空間Ｉの各交点部Ｃ（図５）よりも幅方向の外側に位置しているため、当て付け部２４，２４の高さを大きく確保できるとともに、ディスクＤの挿入に連動させて速やかにローディングローラー１０を当て付け部２４，２４から離脱させることができる。当て付け部２４，２４の高さを大きく確保することで、ローディングローラー１０を当て付け部２４，２４だけに確実に当接させることができるとともに、イジェクト状態におけるディスク挿入空間Ｉの上下の幅が小さくなり過ぎることを回避してディスク挿入空間Ｉの幅を適正な大きさにでき、ディスクを容易に挿入することができる。
また、ディスクＤの前端をディスク挿入空間Ｉに挿入した状態において、当て付け部２４，２４がディスクＤの前端の外端部Ｄ１よりも幅方向の外側に位置しているため、当て付け部２４，２４の高さを大きく確保できるとともに、ディスクＤの挿入に連動させて速やかにローディングローラー１０を当て付け部２４，２４から離脱させることができる。
【００３８】
図１１は、イジェクト状態において当て付け部２４を示す断面図である。図１２は、ディスクＤの先端が挿入された状態において当て付け部２４を示す断面図である。ここで、図１１ではガイド部２３の図示が省略されている。
図１１及び図２（ａ）を参照し、イジェクト状態では、ローディングローラー１０は、ロックアーム１２を介したトーションスプリング１３の付勢力によって当て付け部２４に当て付けられている。この状態では、ローラー部３２は、僅かに弾性変形して凹んだ状態で当て付け部２４に当接している。このため、ディスクプレーヤ１に外部から伝わる振動に起因するローディングローラー１０の移動及び回転を、当て付け部２４によって防止でき、ローディングローラー１０の軸方向の移動及びギヤ３３のバックラッシュに起因したラトルノイズの発生を簡単な構造で防止できる。
【００３９】
また、イジェクト状態では、ロック爪１５ａ，１５ｂによってロックアーム１２の位置が規制された状態でローディングローラー１０が当て付け部２４，２４に当て付けられるとともに、ローラー部３２は弾性材料であるため、ローディングローラー１０はそれほど強い力で当て付け部２４，２４に当て付けられていない。このため、ローディングローラー１０は、当て付け部２４，２４に当て付けられてラトルノイズの発生を防止されつつも、大きな負荷が作用した際にはゆっくりと回転が可能であり、外部からの振動等に対してローディングローラー１０の周囲の部品に負荷が集中することを防止できる。
【００４０】
ユーザーによって挿入口からディスク挿入空間ＩにディスクＤが挿入されると、ディスクＤの厚さによってローディングローラー１０がトーションスプリング１３の付勢力に抗して押し下げられ、ディスクＤの先端がローディングローラー１０とガイド部２３，２３との間に挟まれた搬送の初期段階（図８）で、図１２に示すように、ローディングローラー１０が当て付け部２４，２４から下方に離脱する。
当て付け部２４，２４の高さＨは、イジェクト状態におけるローラー部３２の弾性変形量Ｅ（図１１）を考慮し、上記搬送の初期段階のローディングローラー１０の押し下げ量（図１０の厚さＢ）によって当て付け部２４，２４とローディングローラー１０との間に隙間Ｇが発生する高さに設定されている。このため、当て付け部２４，２４によってローディングローラー１０のラトルノイズを防止しつつ、ディスクＤの搬送の初期段階で当て付け部２４，２４による当て付けを速やかに解除でき、スムーズにディスクＤを搬送できる。
ディスクＤの挿入がセンサによって検知されると、当て付け部２４，２４による当て付けの解除後にローラー駆動機構によってローディングローラー１０が回転され、ディスクＤはターンテーブルまで搬送される。
【００４１】
以上説明したように、本発明を適用した実施の形態によれば、ガイド部材であるアッパーガイド１４はプレート４に固定されることでローディングローラー１０の上方に固定され、アッパーガイド１４のガイド部２３，２３には、ローディングローラー１０が当接する当て付け部２４，２４が形成され、当て付け部２４，２４の高さＨは、ディスクの挿入に伴いディスクの厚さによってローディングローラー１０が押し下げられるとローディングローラー１０が当て付け部２４，２４から離れる高さに形成されているため、ローディングローラー１０を当て付け部２４，２４に当接させることでローディングローラー１０のガタに起因するラトルノイズの発生を防止でき、ディスクが挿入された際にはディスクによるローディングローラー１０の押し下げによってローディングローラー１０の当て付けを解除でき、簡単な構造でラトルノイズの発生を防止できる。
【００４２】
また、ローディングローラー１０及びアッパーガイド１４のガイド部２３，２３は、ローディングローラー１０とアッパーガイド１４との間に形成されるディスク挿入空間Ｉの上下の間隔が中央部Ｍで広く幅方向の外側ほど狭くなるようにテーパー状に形成され、当て付け部２４，２４は、ガイド部２３，２３のガイド面２３ｃよりも低い高さに形成されているため、ローディングローラー１０で搬送されるディスクが当て付け部に当たることがなく、ディスクの搬送を妨げることなく簡単な構造でラトルノイズの発生を防止できる。
【００４３】
また、当て付け部２４，２４は、正面視においてローディングローラー１０のテーパー形状とガイド部２３，２３のテーパー形状とが交わる交点部Ｃよりも幅方向の外側に位置するため、当て付け部２４，２４の高さを大きく確保できるとともに、ディスクの挿入に連動させて速やかにローディングローラー１０を当て付け部２４，２４から離脱させることができる。
さらに、当て付け部２４，２４は、ディスクの前端がガイド部２３，２３とローディングローラー１０とで挟まれた状態において、ディスクの前端よりも幅方向の外側に位置するとともにローディングローラー１０のローラー表面３２ａから離間しているため、当て付け部２４，２４の高さを大きく確保できるとともに、ディスクの挿入に連動させて速やかにローディングローラー１０を当て付け部から離脱させることができる。
【００４４】
また、アッパーガイド１４は、プレート４に固定されてローディングローラー１０に対向する上壁部２２を有し、ディスクをガイドするガイド部２３，２３のガイド面２３ｃは上壁部２２に形成され、当て付け部２４，２４は上壁部２２に一体に形成された凸部であるため、簡単な構造でラトルノイズの発生を防止できる。
また、ローディングローラー１０のギヤ３３に起因して発生するラトルノイズを簡単な構造で防止できる。
【００４５】
なお、上記実施の形態は本発明を適用した一態様を示すものであって、本発明は上記実施の形態に限定されない。
上記実施の形態では、当て付け部２４，２４は、アッパーガイド１４に樹脂成形によって一体に形成されるものとして説明したが、本発明はこれに限定されるものではなく、別部材として形成した当て付け部を後からアッパーガイド１４に取り付ける構成としても良い。この場合、当て付け部はアッパーガイド１４と異なる材質で構成しても良い。
また、上記実施の形態では、当て付け部２４，２４は、各交点部Ｃよりもディスクプレーヤ１の幅方向の外側且つローラー部３２の軸端よりも内側に位置しているものとして説明したが、当て付け部２４，２４がローディングローラー１０に当て付け可能であれば当て付け部２４，２４の位置は特に限定されるものではなく、例えば、ローラー部３２の軸端に対応する位置に当て付け部を設けても良い。
【００４６】
さらに、上記実施の形態では、ディスクＤの挿入がセンサによって検知されると、当て付け部２４，２４による当て付けの解除後にローラー駆動機構によってローディングローラー１０が回転され、ディスクＤはターンテーブルまで搬送されるものとして説明したが、これに限らず、例えば、ディスクＤの挿入をセンサによって検知後にローラー駆動機構を駆動してローディングローラー１０を回転させ、この際のローディングローラー１０によるディスクＤの搬送で生じるローディングローラー１０の押し下げによって当て付け部２４，２４の当て付けを解除する構成としても良い。
また、上記実施の形態では、ガイド部材であるアッパーガイド１４はプレート４に固定されることでローディングローラー１０の上方に固定されるものとして説明したが、これに限らず、例えば、ガイド部材をシャーシ２に固定して設けることで、ガイド部材をローディングローラー１０の上方に固定する構成としても良い。
また、ディスクプレーヤ１は、ディスクに記録された情報を再生するものであるとして説明したが、ディスクに情報を書き込み可能なディスク再生装置であっても良いことは勿論である。
【符号の説明】
【００４７】
１  ディスクプレーヤ（ディスク再生装置）
２  シャーシ（筺体）
１０  ローディングローラー
１４  アッパーガイド（ガイド部材）
２２  上壁部（板部）
２３ｃ  ガイド面
２４，２４  当て付け部
３１  ローラー軸（ローディングローラーの軸）
３２ａ  ローラー表面（ローラー面）
３３  ギヤ
Ｃ  交点部
Ｄ  ディスク
【図１】
2013239218.tif 000003
【図２】
2013239218.tif 000004
【図３】
2013239218.tif 000005
【図４】
2013239218.tif 000006
【図５】
2013239218.tif 000007
【図６】
2013239218.tif 000008
【図７】
2013239218.tif 000009
【図８】
2013239218.tif 000010
【図９】
2013239218.tif 000011
【図１０】
2013239218.tif 000012
【図１１】
2013239218.tif 000013
【図１２】
2013239218.tif 000014